【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
下記一般式（Ｉ）または（ＩＩ）で表される疎水性モノマーから誘導される一種または二種以上の構成単位と下記Ａ群からなる親水性モノマーから誘導される一種または二種以上の構成単位を必須構成単位として有し、他の構成単位を有していてもよいコポリマー。
一般式（Ｉ）
【化１】
2014009275.tif 000001
（Ｉ）
（一般式（Ｉ）中Ｒ１は水素原子または炭素数１〜３のアルキル基を表し、Ｒ２，Ｒ３は同一でも異なっていてもよく、環構造を含まない、分岐を有する、炭素数６〜２２のアシル基を表す。Ｐは三価のアルコールからＯＨ基が脱離した基を表す。）
一般式（ＩＩ）
【化２】
2014009275.tif 000002
（ＩＩ）
（一般式（ＩＩ）中Ｒ４は水素原子または炭素数１〜３のアルキル基を表し、Ｒ５，Ｒ６，Ｒ７は同一でも異なっていてもよく、環構造を含まない、分岐を有する、炭素数６〜２２のアシル基を表す。Ｑは四価のアルコールからＯＨ基が脱離した基を表す。）
Ａ群：重合性カルボン酸、下記一般式（ＩＩＩ）で表される親水性モノマー
一般式（ＩＩＩ）
【化３】
2014009275.tif 000003
（ＩＩＩ）
（一般式（ＩＩＩ）中Ｒ8は水素原子または炭素数１〜３のアルキル基を表し、Ｒ9は水酸基を有していてもよい炭素数２〜４のアルキレン基を表し、Ｒ10は水素原子、炭素数６〜１０の芳香族炭化水素基、炭素数１〜１４の脂肪族炭化水素基又は炭素数１〜１２のアシル基を表す。ｎは６〜４０の整数を表す。）
【請求項２】
一般式（Ｉ）で表される疎水性モノマーが下記一般式（ＩＶ）で表される疎水性モノマーであり、かつ、一般式（ＩＩ）で表される疎水性モノマーが下記一般式（Ｖ）で表される疎水性モノマーであることを特徴とする請求項１記載のコポリマー。
一般式（ＩＶ）
【化４】
2014009275.tif 000004
（ＩＶ）
（一般式（ＩＶ）中Ｒ１１は水素原子または炭素数１〜３のアルキル基を表し、Ｒ１２，Ｒ１３は同一でも異なっていてもよく、環構造を含まない、分岐を有する、炭素数１０〜２２のアシル基、または、環構造を含まない、２つ以上の分岐を有する炭素数６〜９のアシル基を表す。Ｓは三価のアルコールからＯＨ基が脱離した基を表す。）
一般式（Ｖ）
【化５】
2014009275.tif 000005
（Ｖ）
（一般式（Ｖ）中Ｒ１４は水素原子または炭素数１〜３のアルキル基を表し、Ｒ１５，Ｒ１６，Ｒ１７は同一でも異なっていてもよく、環構造を含まない、分岐を有する、炭素数１０〜２２のアシル基、または、環構造を含まない、２つ以上の分岐を有する炭素数６〜９のアシル基を表す。Ｔは四価のアルコールからＯＨ基が脱離した基を表す。）
【請求項３】
一般式（ＩＩＩ）で表される親水性モノマーが、下記一般式（ＶＩ）で表される親水性モノマーであることを特徴とする請求項１または２記載のポリマー。
一般式（ＶＩ）
【化６】
2014009275.tif 000006
（ＶＩ）
（一般式（ＶＩ）中Ｒ１８は水素原子または炭素数１〜３のアルキル基を表し、Ｒ１９は水素原子、炭素数６〜１０の芳香族炭化水素基、炭素数１〜１４の脂肪族炭化水素基又は炭素数１〜１２のアシル基を表す。ｍは６〜４０の整数を表す。）
【請求項４】
重合性カルボン酸がアクリル酸及び／またはメタクリル酸であることを特徴とする請求項１〜３いずれか１項に記載のコポリマー。
【請求項５】
三価アルコールがグリセリン、トリメチロールプロパン、トリメチロールエタンからなる群から選択されることを特徴とする請求項１〜４いずれか１項に記載のコポリマー。
【請求項６】
四価のアルコールがジグリセリン、ペンタエリスリトール、エリスリトール、Ｄ−トレイトール、Ｌ−トレイトールからなる群から選択される四価のアルコールであることを特徴とする請求項１〜４いずれか１項に記載のコポリマー。
【請求項７】
疎水性モノマーから誘導される一種または二種以上の構成単位がコポリマーの全構成単位の１〜４０質量％であり、かつ、親水性モノマーから誘導される一種または二種以上の構成単位がコポリマーの全構成単位の３０〜９５質量％であることを特徴とする、請求項１〜６いずれか１項に記載のコポリマー。
【手続補正２】
【補正対象書類名】明細書
【補正対象項目名】０００９
【補正方法】変更
【補正の内容】
【０００９】
このような状況に鑑み、本発明者等は、速乾性、柔軟性及び耐水性に優れた被膜を与えるコポリマーを求めて鋭意研究した結果、疎水性の、重合性のカルボキシル基と、複数の、特定の分岐構造を有するアシル基を有するアクリルエステル系モノマーと特定の構造を有する親水性アクリル系モノマーを重合させたコポリマーが溶解性、特に水への溶解性に優れ、水性組成物の被膜剤として好適であり、かつ、速乾性、柔軟性及び耐水性に優れた被膜を与えることを見出し、本発明に至った。すなわち、本発明は以下の通りである。
（１）下記一般式（Ｉ）または（ＩＩ）で表される疎水性モノマーから誘導される一種または二種以上の構成単位と下記Ａ群からなる親水性モノマーから誘導される一種または二種以上の構成単位を必須構成単位として有し、他の構成単位を有していてもよいコポリマー。
一般式（Ｉ）
【化１】
2014009275.tif 000007
（Ｉ）
（一般式（Ｉ）中Ｒ１は水素原子または炭素数１〜３のアルキル基を表し、Ｒ２，Ｒ３は同一でも異なっていてもよく、環構造を含まない、分岐を有する、炭素数６〜２２のアシル基を表す。Ｐは三価のアルコールからＯＨ基が脱離した基を表す。）
一般式（ＩＩ）
【化２】
2014009275.tif 000008
（ＩＩ）
（一般式（ＩＩ）中Ｒ４は水素原子または炭素数１〜３のアルキル基を表し、Ｒ５，Ｒ６，Ｒ７は同一でも異なっていてもよく、環構造を含まない、分岐を有する、炭素数６〜２２のアシル基を表す。Ｑは四価のアルコールからＯＨ基が脱離した基を表す。）
Ａ群：重合性カルボン酸、下記一般式（ＩＩＩ）で表される親水性モノマー
一般式（ＩＩＩ）
【化３】
2014009275.tif 000009
（ＩＩＩ）
（一般式（ＩＩＩ）中Ｒ8は水素原子または炭素数１〜３のアルキル基を表し、Ｒ9は水酸基を有していてもよい炭素数２〜４のアルキレン基を表し、Ｒ10は水素原子、炭素数６〜１０の芳香族炭化水素基、炭素数１〜１４の脂肪族炭化水素基又は炭素数１〜１２のアシル基を表す。ｎは６〜４０の整数を表す。）
（２）一般式（Ｉ）で表される疎水性モノマーが下記一般式（ＩＶ）で表される疎水性モノマーであり、かつ、一般式（ＩＩ）で表される疎水性モノマーが下記一般式（Ｖ）で表される疎水性モノマーであることを特徴とする（１）記載のコポリマー。
一般式（ＩＶ）
【化４】
2014009275.tif 000010
（ＩＶ）
（一般式（ＩＶ）中Ｒ１１は水素原子または炭素数１〜３のアルキル基を表し、Ｒ１２，Ｒ１３は同一でも異なっていてもよく、環構造を含まない、分岐を有する、炭素数１０〜２２のアシル基、または、環構造を含まない、２つ以上の分岐を有する炭素数６〜９のアシル基を表す。Ｓは三価のアルコールからＯＨ基が脱離した基を表す。）
一般式（Ｖ）
【化５】
2014009275.tif 000011
（Ｖ）
（一般式（Ｖ）中Ｒ１４は水素原子または炭素数１〜３のアルキル基を表し、Ｒ１５，Ｒ１６，Ｒ１７は同一でも異なっていてもよく、環構造を含まない、分岐を有する、炭素数１０〜２２のアシル基、または、環構造を含まない、２つ以上の分岐を有する炭素数６〜９のアシル基を表す。Ｔは四価のアルコールからＯＨ基が脱離した基を表す。）
（３）一般式（ＩＩＩ）で表される親水性モノマーが、下記一般式（ＶＩ）で表される親水性モノマーであることを特徴とする（１）または（２）記載のポリマー。
一般式（ＶＩ）
【化６】
2014009275.tif 000012
（ＶＩ）
（一般式（ＶＩ）中Ｒ１８は水素原子または炭素数１〜３のアルキル基を表し、Ｒ１９は水素原子、炭素数６〜１０の芳香族炭化水素基、炭素数１〜１４の脂肪族炭化水素基又は炭素数１〜１２のアシル基を表す。ｍは６〜４０の整数を表す。）
（４）重合性カルボン酸がアクリル酸及び／またはメタクリル酸であることを特徴とする（１）〜（３）いずれかに記載のコポリマー。
（５）三価アルコールがグリセリン、トリメチロールプロパン、トリメチロールエタンからなる群から選択されることを特徴とする（１）〜（４）いずれかに記載のコポリマー。
（６）四価のアルコールがジグリセリン、ペンタエリスリトール、エリスリトール、Ｄ−トレイトール、Ｌ−トレイトールからなる群から選択される四価のアルコールであることを特徴とする（１）〜（４）いずれかに記載のコポリマー。
（７）疎水性モノマーから誘導される一種または二種以上の構成単位がコポリマーの全構成単位の１〜４０質量％であり、かつ、親水性モノマーから誘導される一種または二種以上の構成単位がコポリマーの全構成単位の３０〜９５質量％であることを特徴とする、（１）〜（６）いずれかに記載のコポリマー。
【手続補正３】
【補正対象書類名】明細書
【補正対象項目名】００１１
【補正方法】変更
【補正の内容】
【００１１】
以下、本発明を詳細に説明する。
＜１＞ 本発明のコポリマーの必須構成単位である疎水性モノマーから誘導される構成単位。
本発明のコポリマーは下記一般式（Ｉ）又は一般式（ＩＩ）で表される疎水性モノマーから誘導される構成単位（以下、単に、「構成単位I」または「構成単位II」と呼ぶこともある）の一種または二種以上を必須構成単位として含有する。
一般式（Ｉ）
【化７】
2014009275.tif 000013
（Ｉ）
（一般式（Ｉ）中Ｒ１は水素原子または炭素数１〜３のアルキル基を表し、Ｒ２，Ｒ３は同一でも異なっていてもよく、環構造を含まない、分岐を有する、炭素数６〜２２のアシル基を表す。Ｐは三価のアルコールからＯＨ基が脱離した基を表す。）
一般式（ＩＩ）
【化８】
2014009275.tif 000014
（ＩＩ）
（一般式（ＩＩ）中Ｒ４は水素原子または炭素数１〜３のアルキル基を表し、Ｒ５，Ｒ６，Ｒ７は同一でも異なっていてもよく、環構造を含まない、分岐を有する、炭素数６〜２２のアシル基を表す。Ｑは四価のアルコールからＯＨ基が脱離した基を表す。）
【手続補正４】
【補正対象書類名】明細書
【補正対象項目名】００１４
【補正方法】変更
【補正の内容】
【００１４】
上記一般式（Ｉ）又は（ＩＩ）で表される疎水性モノマーの中でも特に好ましいものとして、下記一般式（ＩＶ）又は（Ｖ）で表される疎水性モノマーが挙げられる。
一般式（ＩＶ）
【化９】
2014009275.tif 000015
（ＩＶ）
（一般式（ＩＶ）中Ｒ１１は水素原子または炭素数１〜３のアルキル基を表し、Ｒ１２，Ｒ１３は同一でも異なっていてもよく、環構造を含まない、分岐を有する、炭素数１０〜２２のアシル基、または、環構造を含まない、２つ以上の分岐を有する炭素数６〜９のアシル基を表す。Ｓは三価のアルコールからＯＨ基が脱離した基を表す。）
一般式（Ｖ）
【化１０】
2014009275.tif 000016
（Ｖ）
（一般式（Ｖ）中Ｒ１４は水素原子または炭素数１〜３のアルキル基を表し、Ｒ１５，Ｒ１６，Ｒ１７は同一でも異なっていてもよく、環構造を含まない、分岐を有する、炭素数１０〜２２のアシル基、または、環構造を含まない、２つ以上の分岐を有する炭素数６〜９のアシル基を表す。Ｔは四価のアルコールからＯＨ基が脱離した基を表す。）